(57)【要約】【課題】湿気を有効に防止する可能なタッチ式パネルを提供する。【解決手段】少なくとも基板と、タッチ式フィルムと、フレーム部材と、を備え、該基板とタッチ式フィルムの相対内面に導電層が設けられ、該フレーム部材が基板とタッチ式フィルムの間に設けられると共に、該フレーム部材に少なくとも一つの通気孔が形成されるタッチ式パネルであって、前記通気孔に湿気シャッターが設けられることを特徴とする。【選択図】図３
2008197709.tif 000002
【特許請求の範囲】
【請求項１】
少なくとも基板と、タッチ式フィルムと、フレーム部材と、を備え、該基板とタッチ式フィルムの相対内面に導電層が設けられ、該フレーム部材が基板とタッチ式フィルムの間に設けられると共に、該フレーム部材に少なくとも一つの通気孔が形成されるタッチ式パネルであって、
前記通気孔に湿気シャッターが設けられることを特徴とする、
タッチ式パネル。
【請求項２】
前記湿気シャッターは、交差配列に複数のシャッタープレートを有し、該シャッタープレートは絶縁プレートであることを特徴とする、請求項１に記載のタッチ式パネル。
【請求項３】
前記シャッタープレートは、該通気孔の内壁から通気孔の内部へ傾斜に伸びるように設けられることを特徴とする、請求項２に記載のタッチ式パネル。
【請求項４】
前記湿気シャッターは、該通気孔に交差配列に充填される少なくとも一つの除水材からなることを特徴とする、請求項１に記載のタッチ式パネル。
【請求項５】
前記湿気シャッターは、複数の交差配列のシャッタープレートと、交差配列に該シャッタープレートの隙間に嵌めこまれる除水材とを有することを特徴とする、請求項１に記載のタッチ式パネル。
【請求項６】
前記フレーム部材に内縁から外縁までの切欠が形成され、該フレーム部材が基板とタッチ式フィルムの間に設けられることにより、該切欠が前記通気孔に形成されることを特徴とする、請求項１乃至５のいずれに記載のタッチ式パネル。
【発明の詳細な説明】
【技術分野】
【０００１】
本発明はタッチ式パネルに関し、特に湿気を有効に防止することが可能なタッチ式パネルに関するものである。
【背景技術】
【０００２】
従来のタッチ式パネルは、下層の基板と、上層のタッチ式フィルムと、該基板とタッチ式フィルムとの間に設けられるフレーム部材と、を備えている。該基板は、長方形のガラスプレート、又はＰＥＴ（ポリエチレンテレフタレート）プレートからなり、該タッチ式フィルム及びフレーム部材は、該基板と対応する長方形を呈する。該基板とタッチ式フィルムの相対内面には、ＩＴＯなど導電材がメッキされることにより、ＩＴＯフィルムの導電層が設けられる。
又、このようなタッチ式パネルはよく使用されているため、特に特許文献、又は非特許文献に記載がされていない。
【０００３】
前記タッチ式パネルは、周縁に駆動電圧を印加することにより使用され、使用者の指先がタッチ式フィルムと接触すると、該接触箇所の微変形により基板とタッチ式フィルムのＩＴＯフィルムを互いに接触させる。
【０００４】
しかしながら、前記したタッチ式フィルムと基板との間におけるフレーム部材の内部空間が密室である。そのため、内部の空気は、温度の上昇に伴って体積が膨大したり、又は温度の低下に伴い体積が縮減してタッチ式フィルムが変形する恐れがある。
【０００５】
前記空気の体積変化の問題を防ぐために、フレーム部材に通気孔が形成されるタッチ式パネルが提出された。
この通気孔を介してフレーム部材の内部空気と外部空気が互いに流通することにより、タッチ式フィルムの変形を防止できる。
【発明の開示】
【発明が解決しようとする課題】
【０００６】
しかしながら、前記フレーム部材における通気孔には、湿気を有効に遮断する構造が設けられないので、外部の湿気がこの通気孔を通じてフレーム部材の内部に進入することにより、タッチ式パネルの故障を発生するという問題があった。
【０００７】
そこで、出願されたのが本発明であって、湿気を有効に防止する可能なタッチ式パネルを提供することを目的としている。
【課題を解決するための手段】
【０００８】
本願の請求項１の発明は、少なくとも基板と、タッチ式フィルムと、フレーム部材と、を備え、該基板とタッチ式フィルムの相対内面に導電層が設けられ、該フレーム部材が基板とタッチ式フィルムの間に設けられると共に、該フレーム部材に少なくとも一つの通気孔が形成されるタッチ式パネルであって、
前記通気孔に湿気シャッターが設けられることを特徴とするタッチ式パネル、を提供する。
【０００９】
本願の請求項２の発明は、前記湿気シャッターは、交差配列に複数のシャッタープレートを有し、該シャッタープレートは絶縁プレートであることを特徴とする請求項１に記載のタッチ式パネル、を提供する。
【００１０】
本願の請求項３の発明は、前記シャッタープレートは、該通気孔の内壁から通気孔の内部へ傾斜に伸びるように設けられることを特徴とする請求項２に記載のタッチ式パネル、を提供する。
【００１１】
本願の請求項４の発明は、前記湿気シャッターは、該通気孔に交差配列に充填される少なくとも一つの除水材からなることを特徴とする請求項１に記載のタッチ式パネル、を提供する。
【００１２】
本願の請求項５の発明は、前記湿気シャッターは、複数の交差配列のシャッタープレートと、交差配列に該シャッタープレートの隙間に嵌めこまれる除水材とを有することを特徴とする請求項１に記載のタッチ式パネル、を提供する。
【００１３】
本願の請求項６の発明は、前記フレーム部材に内縁から外縁までの切欠が形成され、該フレーム部材が基板とタッチ式フィルムの間に設けられることにより、該切欠が前記通気孔に形成されることを特徴とする請求項１乃至５のいずれに記載のタッチ式パネル、を提供する。
【発明の効果】
【００１４】
本発明は前記の課題を解決するものであり、基板と、タッチ式フィルムと、フレーム部材と、を備え、該フレーム部材には、切欠が形成されると共に、基板とタッチ式フィルムの間に設けられることにより、該切欠が通気孔に形成され、該通気孔に湿気シャッターが設けられ、湿気を含む空気が該湿気シャッターを通過すると、空気に含まれる湿気を該湿気シャッターに付着することにより、フレーム部材の内部に進入し難いので、湿気の進入を有効に防止することが達成できる。
【発明を実施するための最良の形態】
【００１５】
以下、添付図面を参照して本発明の好適な実施の形態を詳細に説明する。
【００１６】
図１は本発明に係るタッチ式パネルの第１実施例を示す分解斜視図であり、図２は本発明に係るタッチ式パネルの第１実施例を示す断面図であり、図３は本発明に係るタッチ式パネルの第１実施例のフレーム部材を示す部分拡大平面図であり、図４は本発明に係るタッチ式パネルの第１実施例の湿気シャッターを示す側面図であり、図５は本発明に係るタッチ式パネルの第２実施例のフレーム部材を示す部分拡大平面図であり、図６は本発明に係るタッチ式パネルの第２施例の湿気シャッターを示す側面図であり、図７は本発明に係るタッチ式パネルの第３施例のフレーム部材を示す部分拡大平面図である。
【００１７】
図１及び図２に示すように、本発明に係るタッチ式パネルは、基板（１０）と、タッチ式フィルム（２０）と、フレーム部材（３０）と、を備え、該基板（１０）は、長方形のガラスプレートであり、その上面にＩＴＯ（透明電極）をメッキした導電層が設けられる。
【００１８】
前記タッチ式フィルム（２０）は、該基板（１０）の形状に対応する長方形のＰＥＴプレートであり、その下面にＩＴＯ（透明電極）をメッキした導電層が設けられる。
【００１９】
前記フレーム部材（３０）は、基板（１０）及びタッチ式フィルム（２０）と対応する長方形フレームであり、その一角に内縁から外縁までの切欠が形成され、該フレーム部材（３０）が基板（１０）とタッチ式フィルム（２０）の間に設けられることにより、該切欠が通気孔（３１）に形成され、該通気孔（３１）に湿気シャッター（４０）が設けられる。
【００２０】
図３及び図４に示すように、前記湿気シャッター（４０）は、交差配列に複数のシャッタープレート（４１）を有し、本実施例のシャッタープレート（４１）は絶縁プレートであり、該通気孔（３１）の内壁から通気孔（３１）の内部へ傾斜に伸びるように設けられ、各シャッタープレート（４１）の周縁と通気孔（３１）の内壁の間、及び各シャッタープレート同士の間に空気を流通するための隙間（符号なし）が形成される。
湿気を含む空気が前記湿気シャッター（４０）のシャッタープレート（４１）を通過すると、空気を該シャッタープレート（４１）で冷却すると共に、空気に含まれる湿気を該シャッタープレートに付着することにより、フレーム部材（３０）の内部に進入し難い。
【００２１】
又、図５及び図６に示すように、本発明に係るタッチ式パネルの第２実施例は、前記第１実施例とほとんど等しく、異なるのは、本実施例の湿気シャッター（５０）が通気孔（３１）に交差配列に充填される少なくとも一つの除水材（５１）からなる。
このような除水材（５１）は、不規則の形状を呈し、少量の接着剤で通気孔（３１）の内壁に設けられ、又、各除水材（５１）同士の間には印刷及び加熱手段で互いに接着されることにより、通気孔（３１）に湾曲のような交差の隙間が形成される。尚、前記接着手段だけではなく、焼結手段により除水材（５１）を通気孔（３１）の内壁に設置させてもよい。
【００２２】
図７に示すように、本発明に係るタッチ式パネルの第３実施例は、前記第１及び第２実施例と殆ど等しく、異なるのは、本実施例の湿気シャッター（６０）は、複数の交差配列のシャッタープレート（６１）と、交差配列に該シャッタープレート（６１）の隙間に嵌めこまれる除水材（６２）とを有し、該除水材（６２）は、ボール状を呈すると共に、該複数のシャッタープレート（６１）に分散されることにより、湿気の進入を防止する効果を達成できる。
【００２３】
本発明は、基板と、タッチ式フィルムと、フレーム部材と、を備え、該フレーム部材には、切欠が形成されると共に、基板とタッチ式フィルムの間に設けられることにより、該切欠が通気孔に形成され、該通気孔に湿気シャッターが設けられ、湿気を含む空気が該湿気シャッターを通過すると、空気に含まれる湿気を該湿気シャッターに付着することにより、フレーム部材の内部に進入し難いので、湿気を有効に防止することが達成できる。
【図面の簡単な説明】
【００２４】
【図１】本発明に係るタッチ式パネルの第１実施例を示す分解斜視図である。
【図２】本発明に係るタッチ式パネルの第１実施例を示す断面図である。
【図３】本発明に係るタッチ式パネルの第１実施例のフレーム部材を示す部分拡大平面図である。
【図４】本発明に係るタッチ式パネルの第１実施例の湿気シャッターを示す側面図である。
【図５】本発明に係るタッチ式パネルの第２実施例のフレーム部材を示す部分拡大平面図である。
【図６】本発明に係るタッチ式パネルの第２施例の湿気シャッターを示す側面図である。
【図７】本発明に係るタッチ式パネルの第３施例のフレーム部材を示す部分拡大平面図である。
【符号の説明】
【００２５】
１０        基板
２０        タッチ式フィルム
３０        フレーム部材
３１        通気孔
４０        湿気シャッター
４１        シャッタープレート
５０        湿気シャッター
５１        除水材
６０        湿気シャッター
６１        シャッタープレート
６２        除水材
【図１】
2008197709.tif 000003
【図２】
2008197709.tif 000004
【図３】
2008197709.tif 000005
【図４】
2008197709.tif 000006
【図５】
2008197709.tif 000007
【図６】
2008197709.tif 000008
【図７】
2008197709.tif 000009